(57)【特許請求の範囲】
【請求項１】
略三角柱形状とされ上面に第１開口部を有し下面に第２開口部を側面に第３開口部をそれぞれ有してなる弁箱と、この弁箱の三側面のうちの二側面にそれぞれ配設されてなる第１及び第２の弁本体とから構成され、該第１及び第２の弁本体は弁箱内部に設けられた接続通路により連通されてなる二方向分岐制御器であって、前記第１開口部からの通路は弁箱内で二方向に分岐され、一方の通路は前記第１の弁本体を介して第２開口部に連通可能とされ、他方の通路は接続通路を通り前記第２の弁本体を介して前記第３開口部に連通可能とされてなることを特徴とする二方向分岐制御器。
【発明の詳細な説明】
【０００１】
【発明の属する技術分野】
本発明は二方向分岐制御器に係り、その目的は流通性に優れ流路内部に流体の溜まりが発生することがなく、しかも小スペースで設置することができて操作性に優れた二方向分岐制御器を提供することにある。
【０００２】
【従来の技術】
従来、二方向より流入する流体を混合、もしくは一方向より流入する流体を二方向に分配するためには、図１１に示すようにＴ字管（Ｔ）やベント管（Ｂ）を用いてＹ字状に接続された配管構造が採用されていることが多い。
また、水平配管を垂直方向に分岐する場合には、図１２に示すようにＴ字管（Ｔ）を使用しての分岐配管構造が用いられる。
ところが、上記したような従来の配管構造においては制御弁を閉めたときに、図１１示の配管構造ではＴ字管（Ｔ）とベント管（Ｂ）の内部に、図１２に示す配管構造ではＴ字管（Ｔ）の分岐路から制御弁（Ａ）の入口流路にかけての管内に、それぞれ多量の流体が溜まってしまい、衛生面などの理由から好ましくなかった。
また、上記したような従来の配管構造を使用するにあたっては、Ｔ字管（Ｔ）やベント管（Ｂ）など複数の管路をパッキン（Ｐ）やクランプ（Ｃ）を用いて接続しなければならず配管作業が面倒であった。
しかも、配管の設置に広いスペースを必要とし、配管が混み入った場所などでは使用できない場合もあった。
さらには、分岐路への流量を制御する２つの制御弁（Ｖ）が離れた位置となるため、手動式の弁を使用した場合には操作性が悪かった。
【０００３】
【発明が解決しようとする課題】
本発明は上記実情に鑑みてなされたものであって、流通性に優れ流路内部に流体の溜まりが発生することがなく、しかも小スペースで設置することができて操作性に優れた二方向分岐制御器の提供を解決課題とする。
【０００４】
【課題を解決するための手段】
本発明では上記課題を解決するための手段として、略三角柱形状とされ上面に第１開口部を有し下面に第２開口部を側面に第３開口部をそれぞれ有してなる弁箱と、この弁箱の三側面のうちの二側面にそれぞれ配設されてなる第１及び第２の弁本体とから構成され、該第１及び第２の弁本体は弁箱内部に設けられた接続通路により連通されてなる二方向分岐制御器であって、前記第１開口部からの通路は弁箱内で二方向に分岐され、一方の通路は前記第１の弁本体を介して第２開口部に連通可能とされ、他方の通路は接続通路を通り前記第２の弁本体を介して前記第３開口部に連通可能とされてなることを特徴とする二方向分岐制御器とした。
【０００５】
【発明の実施の形態】
以下、本発明に係る二方向分岐制御器の好適な実施形態について図面を参照しつつ説明する。
図１は本発明に係る二方向分岐制御器の参考例を示す正面図である。
参考例に係る二方向分岐制御器は、一つの弁箱（１）に二つの弁本体（２）が配設されることにより、二方向より流入する流体を混合、もしくは一方向より流入する流体を二方向に分配するように構成されている。
【０００６】
図２は弁箱（１）の正面図であり、図３は図２のＡ−Ａ断面図であり、図４は図２のＢ−Ｂ断面図である。
弁箱（１）は略三角柱形状とされ、上面（図２では左側面とされている）に第１開口部（３）を有し下面に第２開口部（４）及び第３開口部（５）を有している。
第１開口部（３）からの通路は弁箱（１）の内部で１２０°間隔の二方向に分岐され、各分岐路端は弁箱（１）の２つの側面に開口している。
これら２つの開口部に、それぞれダイヤフラムを備えた弁本体（２）が図１に示す如く取り付けられて、これらの弁本体（２）の操作によるダイヤフラムの開閉により第１開口部（３）が第２開口部（４）及び第３開口部（５）と連通可能とされる。
【０００７】
上記構成を有する二方向分岐制御器に図５に示す如く配管を接続することにより、略Ｙ字状の二方向分岐配管が形成される。
このように、参考例に係る二方向分岐制御器を使用することにより図１１に示した従来の配管構造に比べて非常にコンパクトな配管構造となり、しかも弁本体（２）までの分岐路長が非常に短いため配管内に溜まる流体の量を極めて少量とすることができる。
【０００８】
図６は本発明に係る二方向分岐制御器の実施例を示す正面図であり、図７は図６の底面図である。
実施例の二方向分岐制御器は、主に水平配管を垂直方向に分岐する場合に用いられるものであって、参考例と同様に一つの弁箱（１）に二つの弁本体（２１）、（２２）が配設されることにより構成されている。
【０００９】
図８は弁箱（１）の正面図であり、図９は図８のＡ−Ａ断面図であり、図１０は図８のＢ−Ｂ断面図である。
弁箱（１）は、図示の如く、略三角柱形状とされており、上面（図８では左側面とされている）に第１開口部（７）を有し下面に第２開口部（８）を側面に第３開口部（９）をそれぞれ有している。
２つの弁本体（２１）、（２２）は、この弁箱（１）の二側面にそれぞれ取り付けられ、弁箱（１）内部に設けられた接続通路（６）により連通可能とされる。
第１開口部（７）からの通路は弁箱（１）内で二方向に分岐され、一方の通路は第１の弁本体（２１）を介して第２開口部（８）に連通可能とされ、他方の通路は接続通路（６）を通り第２の弁本体（２３）を介して第３開口部（９）に連通可能とされている。
【００１０】
上記構成を有する二方向分岐制御器によれば、図１２に示した従来の配管構造に比べて非常にコンパクトな配管構造で水平配管を垂直方向に分岐することができ、しかも分岐路長が非常に短いため配管内に溜まる流体の量を極めて少量とすることができる。
【００１１】
なお、図示例においてはダイヤフラムを伸縮させるための操作機構をコンプレッサーによる空圧機構としているが、本発明においては操作機構の形態は全く限定されず公知の操作機構が全て好適に使用でき、例えばハンドル式の手動操作機構としてもよい。
【００１２】
【発明の効果】
以上説明したように、本発明は、略三角柱形状とされ上面に第１開口部を有し下面に第２開口部を側面に第３開口部をそれぞれ有してなる弁箱と、この弁箱の三側面のうちの二側面にそれぞれ配設されてなる第１及び第２の弁本体とから構成され、該第１及び第２の弁本体は弁箱内部に設けられた接続通路により連通されてなる二方向分岐制御器であって、前記第１開口部からの通路は弁箱内で二方向に分岐され、一方の通路は前記第１の弁本体を介して第２開口部に連通可能とされ、他方の通路は接続通路を通り前記第２の弁本体を介して前記第３開口部に連通可能とされてなることを特徴とする二方向分岐制御器であるから、従来の配管構造に比べて非常にコンパクトな配管構造で水平配管を垂直方向に分岐することが可能であり、しかも分岐路長が非常に短いため配管内に溜まる流体の量を極めて少量とすることができる。
【図面の簡単な説明】
【図１】  本発明に係る二方向分岐制御器の参考例を示す正面図である。
【図２】  参考例に係る二方向分岐制御器の弁箱の正面図である。
【図３】  図１のＡ−Ａ断面図である。
【図４】  図１のＢ−Ｂ断面図である。
【図５】  参考例に係る二方向分岐制御器に配管を接続した図である。
【図６】  本発明に係る二方向分岐制御器の実施例を示す正面図である。
【図７】  本発明に係る二方向分岐制御器の実施例を示す底面図である。
【図８】  実施例に係る二方向分岐制御器の弁箱の正面図である。
【図９】  図８のＡ−Ａ断面図である。
【図１０】  図８のＢ−Ｂ断面図である。
【図１１】  従来の配管構造の一例を示す図である。
【図１２】  従来の配管構造の一例を示す図である。
【符号の説明】
１      弁箱
２      弁本体
２１    第１の弁本体
２２    第２の弁本体
３      第１開口部
４      第２開口部
５      第３開口部
６      接続通路
７      第１開口部
８      第２開口部
９      第３開口部
【図１】
0004358315.tif 000002
【図２】
0004358315.tif 000003
【図３】
0004358315.tif 000004
【図４】
0004358315.tif 000005
【図５】
0004358315.tif 000006
【図６】
0004358315.tif 000007
【図７】
0004358315.tif 000008
【図８】
0004358315.tif 000009
【図９】
0004358315.tif 000010
【図１０】
0004358315.tif 000011
【図１１】
0004358315.tif 000012
【図１２】
0004358315.tif 000013